(57)【要約】【課題】操作体に与えられる回転力による第１のスライダ及び第２のスライダの不所望な動きを抑えることができる多方向入力装置の提供。【解決手段】筐体を形成するカバー部材１の開口４から露出する操作力付与部８と、係合部１０とを有し、多方向にスライド操作可能に保持された操作体６と、係合部１０と係合する長孔１５を有し、Ｘ方向にスライド移動する第１のスライダ１２と、係合部１０と係合する長孔１７を有し、Ｘ方向と直交するＹ方向にスライド移動する第２のスライダ１３と、第１のスライダ１２のＸ方向へのスライド移動を検出する第１の検出手段、及び第２のスライダ１３のＹ方向へのスライド移動を検出する第２の検出手段とを備え、係合部１０を横断面が円形となるように例えば円柱形状に形成した構成にしてある。【選択図】図１
2006107336.tif 000002
【特許請求の範囲】
【請求項１】
開口を有する筐体と、
この筐体の上記開口から露出する操作力付与部と、係合部とを有し、多方向にスライド操作可能に保持された操作体と、
上記操作体の上記係合部と係合する長孔を有し、上記操作体のスライド操作に伴って、第１の方向にスライド移動する第１のスライダと、
上記操作体の上記係合部と係合する長孔を有し、上記操作体のスライド操作に伴って、上記第１の方向と直交する第２の方向にスライド移動する第２のスライダと、
上記第１のスライダの上記第１の方向へのスライド移動を検出する第１の検出手段、及び上記第２のスライダの上記第２の方向へのスライド移動を検出する第２の検出手段とを備え、
上記係合部を横断面が円形となるように形成し、この係合部を上記第１のスライダの上記長孔、及び上記第２のスライダの上記長孔のそれぞれに挿通させた状態で、上記第１のスライダ及び上記第２のスライダをスライド移動させることを特徴とする多方向入力装置。
【請求項２】
上記請求項１記載の発明において、
上記操作体は、横断面が非円形に形成された凸部を有し、
上記凸部が挿通され上記第１の方向に延びる長孔を有し、上記操作体の回転動作を規制する規制部材を備え、
この規制部材を、上記操作体の上記凸部によって上記第２の方向にスライド移動可能に配置したことを特徴とする多方向入力装置。
【請求項３】
上記請求項２記載の発明において、
上記操作体の上記凸部の側壁は、互いに平行な一対の平面部を有し、これらの平面部が上記規制部材の上記長孔の長手方向に沿うように、しかもこれらの平面部が上記長孔の縁部に係合するように上記凸部を配置したことを特徴とする多方向入力装置。
【請求項４】
上記請求項３記載の発明において、
上記規制部材が金属板から成ることを特徴とする多方向入力装置。
【請求項５】
上記請求項２〜４のいずれか１項記載の発明において、
上記第２のスライダ、上記第１のスライダ、及び上記規制部材を積層するように配置すると共に、上記第１のスライダを上記第２のスライダと上記規制部材の間に位置するように配置したことを特徴とする多方向入力装置。
【請求項６】
上記請求項５記載の発明において、
上記筐体内に、上記第１のスライダを上記第１の方向にスライド移動可能に案内する一対の第１の壁部と、上記第２のスライダ及び上記規制部材を上記第２の方向にスライド移動可能に案内する一対の第２の壁部とを形成すると共に、
上記第２のスライダを上記第２の壁部の外壁面で案内されるように、上記規制部材を上記第２の壁部の内壁面で案内されるようにそれぞれ配置したことを特徴とする多方向入力装置。
【請求項７】
上記請求項１〜６のいずれか１項記載の発明において、
上記筐体と一体的に、上記第１の方向に延びる第１の導電パターンと、上記第２の方向に延びる第２の導電パターンとが形成された絶縁基板を備えると共に、
上記第１の検出手段が、上記第１のスライダに設けられた摺動子と、上記第１の導電パターンとを含み、
上記第２の検出手段が、上記第２のスライダに設けられた摺動子と、上記第２の導電パターンとを含むことを特徴とする多方向入力装置。
【発明の詳細な説明】
【技術分野】
【０００１】
本発明は、多方向へのスライド操作が可能な操作体と、この操作体の操作に伴って、第１の方向にスライド移動する第１のスライダと、第１の方向と直交する第２の方向にスライド移動する第２のスライダとを備えた多方向入力装置に関する。
【背景技術】
【０００２】
この種の従来技術として、特許文献１に記載される技術がある。この従来技術は、開口を有する筐体と、この筐体の開口から露出する突起部を有し多方向にスライド操作可能に保持された操作体とが備えられている。また、操作体の突起部と係合する長孔を有し、操作体のスライド操作に伴って、第１の方向にスライド移動する第１の移動体すなわち第１のスライダと、操作体のスライド操作に伴って、上述の第１の方向と直交する第２の方向にスライド移動する第２の移動体すなわち第２のスライダとが備えられている。
【０００３】
上述した突起部は、四角柱形状に形成され、外部からの操作力が与えられる操作力付与部を構成すると共に、第１のスライダ及び第２のスライダのそれぞれの長孔の縁部に係合して、これらの第１のスライダ及び第２のスライダを、第１の方向あるいは第２の方向に移動させる力を伝える係合部を兼ねている。
【０００４】
さらに、第１のスライダの移動を検出する第１の検出手段、及び第２のスライダの移動を検出する第２の検出手段が備えられている。第１の検出手段には、第１のスライダに取付けられた摺動子と、第１の方向に延びる導電パターンとが含まれており、第２の検出手段には、第２のスライダに取付けられた摺動子と、第２の方向に延びる導電パターンとが含まれている。
【特許文献１】特開平５−３２４１８４号公報
【発明の開示】
【発明が解決しようとする課題】
【０００５】
上述した従来技術では、操作力付与部と、第１のスライダ及び第２のスライダに係合する係合部とを兼ねる操作体の突起部が、四角柱形状に形成されていることから、この突起部に誤って回転力が与えられたときには不具合を生じることになる。すなわち、突起部に与えられた回転力により第１のスライダ及び第２のスライダが動く懸念があり、このように第１のスライダ及び第２のスライダが動いてしまった場合には、第１の検出手段、第２の検出手段からの出力信号が変化し、検出性能が劣化してしまうことになる。
【０００６】
本発明は、上述した従来技術における実状からなされたもので、その目的は、操作体に与えられる回転力による第１のスライダ及び第２のスライダの不所望な動きを抑えることができる多方向入力装置を提供することにある。
【課題を解決するための手段】
【０００７】
上記目的を達成するために、本発明は、開口を有する筐体と、この筐体の上記開口から露出する操作力付与部と、係合部とを有し、多方向にスライド操作可能に保持された操作体と、上記操作体の上記係合部と係合する長孔を有し、上記操作体のスライド操作に伴って、第１の方向にスライド移動する第１のスライダと、上記操作体の上記係合部と係合する長孔を有し、上記操作体のスライド操作に伴って、上記第１の方向と直交する第２の方向にスライド移動する第２のスライダと、上記第１のスライダの上記第１の方向へのスライド移動を検出する第１の検出手段、及び上記第２のスライダの上記第２の方向へのスライド移動を検出する第２の検出手段とを備え、上記係合部を横断面が円形となるように形成し、この係合部を上記第１のスライダの上記長孔、及び上記第２のスライダの上記長孔のそれぞれに挿通させた状態で、上記第１のスライダ及び上記第２のスライダをスライド移動させることを特徴としている。
【０００８】
このように構成した本発明は、操作力付与部に操作力を与えて操作体を例えば第１の方向にスライド操作すると、この操作体の係合部が、第２のスライダの長孔内を移動すると共に、第１のスライダの長孔の縁部に係合し、これによって第２のスライダが静止保持される一方、第１のスライダが第１の方向にスライド移動する。この第１のスライダの移動が第１の検出手段で検出される。すなわち、操作体の第１の方向の操作量に相応する信号が第１の検出手段から出力される。
【０００９】
また例えば、操作体を例えば上述した第１の方向と直交する第２の方向にスライド操作すると、この操作体の係合部が、第１のスライダの長孔内を移動すると共に、第２のスライダの長孔の縁部に係合し、これによって第１のスライダが静止保持される一方、第２のスライダが第２の方向にスライド移動する。この第２のスライダの移動が第２の検出手段で検出される。すなわち、操作体の第２の方向の操作量に相応する信号が第２の検出手段から出力される。
【００１０】
さらに例えば、操作体を第１の方向と第２の方向の中間の方向に操作すると、この操作体の係合部が、第１のスライダの長孔の縁部と第２のスライダの長孔の縁部の双方に係合する。したがって、第１のスライダと第２のスライダの双方が移動し、これらの移動が第１，第２検出手段で検出される。すなわち、第１の方向と第２の方向の中間の方向への操作体の操作量に相応する信号が、第１，第２の検出手段から出力される。
【００１１】
そして特に本発明は、操作体の係合部を横断面が円形となるように形成してあることから、誤って操作体に回転力が与えられ、係合部が回転しても、その回転力の第１のスライダ及び第２のスライダへの伝達を阻止することができる。すなわち、上述の回転力による第１のスライダ及び第２のスライダの不所望な動きを抑えることができる。
【００１２】
また本発明は、上記発明において、上記操作体は、横断面が非円形に形成された凸部を有し、上記凸部が挿通され上記第１の方向に延びる長孔を有し、上記操作体の回転動作を規制する規制部材を備え、この規制部材を、上記操作体の凸部によって上記第２の方向にスライド移動可能に配置したことを特徴としている。このように構成した本発明は、操作体の回転操作が規制部材によって規制されるので、操作力付与部に与えられた操作力を確実に、第１，第２のスライダに伝えることができる。
【００１３】
また本発明は、上記発明において、上記操作体の上記凸部の側壁は、互いに平行な一対の平面部を有し、これらの平面部が上記規制部材の上記長孔の長手方向に沿うように、しかもこれらの平面部が上記長孔の縁部に係合するように上記凸部を配置したことを特徴としている。このように構成した本発明は、操作体の凸部と規制部材の長孔との間に生じるがたつきを少なくすることができ、より確実に、操作体の回転操作を規制することができる。
【００１４】
また本発明は、上記発明において、上記規制部材が金属板から成ることを特徴としている。このように構成した本発明は、規制部材の耐久性を確保でき、長期間にわたって確実に、操作体の回転操作を規制することができる。
【００１５】
また本発明は、上記発明において、上記第２のスライダ、上記第１のスライダ、及び上記規制部材を積層するように配置すると共に、上記第１のスライダを上記第２のスライダと上記規制部材の間に位置させるように配置したことを特徴としている。このように構成した本発明は、第１のスライダが、第２のスライダと規制部材によって形成される空間内に配置されるので、全体構造の薄型化を実現できる。
【００１６】
また本発明は、上記発明において、上記筐体内に、上記第１のスライダを上記第１の方向にスライド移動可能に案内する一対の第１の壁部と、上記第２のスライダ及び上記規制部材を上記第２の方向にスライド移動可能に案内する一対の第２の壁部とを形成すると共に、上記第２のスライダを上記第２の壁部の外壁面で案内されるように、上記規制部材を上記第２の壁部の内壁面で案内されるようにそれぞれ配置したことを特徴としている。このように構成した本発明は、第１のスライダを第１の壁部を介して、また第２のスライダ及び規制部材を第２の壁部を介して、スムーズに案内することができる。また、第２のスライダと規制部材とを同じ第２の壁部によって案内させるようにしてあるので、これらの第２のスライダ及び規制部材を案内する構成が簡単である。
【００１７】
また本発明は、上記発明において、上記筐体と一体的に、上記第１の方向に延びる第１の導電パターンと、上記第２の方向に延びる第２の導電パターンとが形成された絶縁基板を備えると共に、上記第１の検出手段が、上記第１のスライダに設けられた摺動子と、上記第１の導電パターンとを含み、上記第２の検出手段が、上記第２のスライダに設けられた摺動子と、上記第２の導電パターンとを含むことを特徴としている。このように構成した本発明は、１枚の絶縁基板に、第１の検出手段に含まれる第１の導電パターンと、第２の検出手段に含まれる第２の導電パターンの双方を形成してあるので、これらの第１，第２の導電パターンを形成するための構成が簡単である。
【発明の効果】
【００１８】
本発明は、操作体の係合部を横断面が円形となるように形成したことから、操作体に与えられる回転力によって従来生じていた第１のスライダ及び第２のスライダの不所望な動きを抑えることができ、これによって、第１の検出手段、第２の検出手段の出力信号の安定化を実現でき、従来に比べて精度の高い検出性能が得られる。
【発明を実施するための最良の形態】
【００１９】
以下，本発明に係る多方向入力装置を実施するための最良の形態を図に基づいて説明する。
【００２０】
［本実施形態の構成］
図１〜８は本発明に係る多方向入力装置の一実施形態を示す図で、図１は本実施形態の分解斜視図、図２は本実施形態の平面図、図３は本実施形態の斜視図、図４は図２のＡ−Ａ断面図、図５は図２のＢ−Ｂ断面図である。図６は底部材及び絶縁基板を除いて背面側から見た状態を示す斜視図、図７は図６に示す状態からさらに、第１のスライダと第２のスライダを除いて背面側から見た斜視図である。図８は本実施形態に備えられる絶縁基板を表面側から見た状態を示す斜視図である。
【００２１】
図１〜３等に示すように、本実施形態の多方向入力装置は、外殻を形成する筐体を備え、この筐体は、上側に配置されるカバー部材１と、中間に配置される中間部材２と、下側に配置される底部材３とによって構成してある。中間部材２を挟むようにして、カバー部材１と底部材３とが例えばスナップ結合によって一体化されている。カバー部材１の中央部分には開口４を形成してあり、中間部材２の中央部分にも開口５を形成してある。
【００２２】
図１，４，５に示すように、カバー部材１と中間部材２との間には、操作体６と、この操作体６の板状をした円形状部６ａを取り囲むように配置され、操作体６に与えられていた操作力の解放に伴って、この操作体６を中立復帰させる付勢部材７とを配置してある。この付勢部材７は、全体が環状に形成されたねじりコイルばねから成っている。操作体６は、円形状部６ａの上側にカバー部材１の開口４から上方に突出して露出する操作力付与部８を有し、円形状部６ａの下側に中間部材２の開口５から下方に突出して露出する凸部９と、この凸部９の下端に形成される係合部１０とを有している。
【００２３】
上述の凸部９は、その横断面の外形形状が非円形となるように形成してある。例えば、この凸部９の側壁部分に、互いに平行な一対の平面部１１を有する横断面小判形状に形成してある。また特に、係合部１０は、その横断面の外形形状が円形となるように、例えば円柱形状に形成してある。
【００２４】
図１，４，５，６，７に示すように、中間部材２と底部材３との間には、上述した操作体６の係合部１０と係合する長孔１５を有し、操作体６のスライド操作に伴って第１の方向、すなわちＸ方向にスライド移動する合成樹脂から成る絶縁性の第１のスライダ１２を配置してある。この第１のスライダ１２の下側には、操作体６の係合部１０と係合する長孔１７を有し、操作体６のスライド操作に伴って、上述したＸ方向と直交する第２の方向、すなわちＹ方向にスライド移動する合成樹脂から成る絶縁性の第２のスライダ１３を配置してある。また、第１のスライダ１２の上側には、上述した操作体６の凸部９が挿通されＸ方向に延びる長孔１９を有し、操作体６の回転操作を規制する例えば金属板から成る規制部材１４を配置してある。図４に示すように、この規制部材１４の端部１４ａは下側に向って延びる断面Ｌ字状に折り曲げて形成してある。そして、規制部材１４の一対の端部１４ａが第２のスライダ１３の上面に当接状態で載置されており、端部１４ａにより、規制部材１４と第２のスライダ１３との間に、第１のスライダ１２のスライド移動を妨げない空間が形成されている。
【００２５】
すなわち、第２のスライダ１３、第１のスライダ１２、及び規制部材１４を積層するように配置すると共に、第１のスライダ１２を規制部材１４と第２のスライダ１３とによって形成される空間内に位置するように配置してある。また、操作体６の係合部１０を第１のスライダ１２のＹ方向に延びた長孔１５、及び第２のスライダ１３のＸ方向に延びた長孔１７のそれぞれに挿通させた状態で、第１のスライダ１２及び第２のスライダ１３をスライド移動させるように配置してある。さらに、操作体６の凸部９を、その一対の平面部１１のそれぞれが規制部材１４の長孔１９の長手方向に沿うように、しかもこれらの平面部１１が長孔１９の長手方向に沿った縁部に係合するように配置してある。すなわち、規制部材１４は、操作体６の凸部９によってＹ方向にスライド移動可能に配置されている。
【００２６】
図１，６に示すように、第１のスライダ１２には、摺動子１６を取付けてあり、第２のスライダ１３にも摺動子１８を取付けてある。
【００２７】
図６，７に示すように、筐体を形成する中間部材２には、第１のスライダ１２をＸ方向にスライド移動可能に案内する一対の第１の壁部２５を形成してあると共に、第２のスライダ１３及び規制部材１４をＹ方向にスライド移動可能に案内する一対の第２の壁部２６を形成してある。
【００２８】
図４，６に示すように、第２のスライダ１３の端部が第２の壁部２６の外壁面で案内されるように、また、規制部材１４の断面Ｌ字状の端部１４ａが第２の壁部２６の内壁面で案内されるように、これらの第２のスライダ１３と規制部材１４とを配置してある。
【００２９】
図１に示すように、第２のスライダ１３と底部材３との間には、絶縁基板２０を配置してある。同図１に示すように、絶縁基板２０の裏面には、外部接続部２１，２２，２３，２４を形成してある。図８に示すように、この絶縁基板２０の表面には、Ｘ方向に延びる第１の導電パターンと、Ｙ方向に延びる第２の導電パターンとを形成してある。第１の導電パターンは、例えば抵抗体パターン２７と集電体パターン２９とを含み、これらの抵抗体パターン２７上、及び集電体パターン２９上を、上述した第１のスライダ１２に備えられる摺動子１６が摺動するようになっている。同様に第２の導電パターンは、例えば抵抗体パターン２８と集電体パターン３０とを含み、これらの抵抗体パターン２８上、及び集電体パターン３０上を、上述した第２のスライダ１３に備えられる摺動子１８が摺動するようになっている。
【００３０】
図８に示すように、第１の導電パターンを形成する抵抗体パターン２７は、スルーホール電極３１，３３を介して図１に示す外部接続部２１，２３にそれぞれ接続され、集電体パターン２９はスルーホール電極３２を介して図１に示す外部接続部２２に接続されている。第２の導電パターンを形成する抵抗体パターン２８は、スルーホール電極３１，３３を介して図１に示す外部接続部２１，２３にそれぞれ接続され、集電体パターン３０はスルーホール電極３４を介して図１に示す外部接続部２４に接続されている。なお、抵抗体パターン２７，２８に導通する外部接続部２１，２３には電圧が印加されるようになっている。
【００３１】
上述した第１の導電パターンに含まれる抵抗体パターン２７及び集電体パターン２９と、第１のスライダ１２に備えられる摺動子１６とによって、第１のスライダ１２のＸ方向へのスライド移動を検出する第１の検出手段が構成されている。また、第２の導電パターンに含まれる抵抗体パターン２８及び集電体パターン３０と、第２のスライダ１３に備えられる摺動子１８とによって、第２のスライダ１３のＹ方向へのスライド移動を検出する第２の検出手段が構成されている。
【００３２】
［本実施形態における動作］
上述のように構成した本実施形態の動作は以下のとおりである。すなわち、操作体６の操作力付与部８に操作力を与えて、操作体６を例えば図４，８等に示すＸ方向にスライド操作すると、この操作体６の係合部１０が第２のスライダ１３の長孔１７内を移動し、操作体６の凸部９が規制部材１４の長孔１９内を移動すると共に、操作体６の係合部１０が第１のスライダ１２の長孔１５の縁部に係合する。これによって、第２のスライダ１３及び規制部材１４が静止保持される一方、第１のスライダ１２がＸ方向にスライド移動する。この第１のスライダ１２の移動により、図８に示すように、第１のスライダ１２の摺動子１６が第１の導電パターンに含まれる抵抗体パターン２７上、及び集電体パターン２９上を摺動し、集電体パターン２９、スルーホール電極３２、及び図１に示す外部接続部２２を介して、操作体６のＸ方向の操作量に相応する信号が出力される。
【００３３】
また例えば、操作体６を図５，８等に示すＹ方向にスライド操作すると、この操作体６の係合部１０が第１のスライダ１２の長孔１５内を移動すると共に、操作体６の係合部１０が第２のスライダ１３の長孔１７の縁部に係合し、操作体６の凸部９が規制部材１４の長孔１９の縁部に係合する。これによって、第１のスライダ１２が静止保持される一方、第２のスライダ１３及び規制部材１４がＹ方向にスライド移動する。第２のスライダ１３のスライド移動により、図８に示すように、第２のスライダ１３の摺動子１８が第２の導電パターンに含まれる抵抗体パターン２８上、及び集電体パターン３０上を摺動し、集電体パターン３０、スルーホール電極３４、図１に示す外部接続部２４を介して、操作体６のＹ方向の操作量に相応する信号が出力される。
【００３４】
さらに、操作体６を図４，８等に示すＸ方向と図５，８等に示すＹ方向の中間の方向に操作すると、この操作体６の係合部１０が、第１のスライダ１２の長孔１５の縁部と第２のスライダ１３の長孔１７の縁部の双方に係合する。これによって、第１のスライダ１２と第２のスライダ１３の双方がスライド移動し、これらのスライド移動により、図８に示すように、第１のスライダ１２の摺動子１６が抵抗体パターン２７上、及び集電体パターン２９上を摺動し、また、第２のスライダ１３の摺動子１８が抵抗体パターン２８上、及び集電体パターン３０上を摺動する。これらの摺動子１６，１８のスライド摺動により、操作体６のＸ方向とＹ方向の中間の方向への操作量に相応する信号が、図１に示す外部接続部２２，２４から出力される。なお、規制部材１４は、操作体６の凸部９によって第２のスライダ１３と一体的にＹ方向に移動する。
【００３５】
［本実施形態の効果］
このように構成した本実施形態によれば、操作体６の係合部１０を横断面が円形となるように形成してあることから、誤って操作体６に回転力が与えられて係合部１０が回転しても、その回転力の第１のスライダ１２及び第２のスライダ１３への伝達を阻止することができる。すなわち、上述の回転力による第１のスライダ１２及び第２のスライダ１３の不所望な動きを抑えることができる。これによって、上述した摺動子１６、抵抗体パターン２７、及び集電体パターン２９から成る第１の検出手段、摺動子１８、抵抗体パターン２８、及び集電体パターン３０から成る第２の検出手段の出力信号の安定化を実現でき、操作体６の操作時の優れた検出性能を確保できる。
【００３６】
また、操作体６が回転操作されようとしたときには、操作体６の凸部９の平面部１１が規制部材１４の長孔１９の縁部に係合することによって、その操作体６の回転操作が規制される。これにより、操作体６の操作力付与部８に与えられた操作力を確実に、第１のスライダ１２及び第２のスライダ１３のスライド移動として伝えることができ、操作検出性能の確保に貢献する。
【００３７】
また、操作体６の凸部９の側壁に、互いに平行な一対の平面部１１を形成し、これらの平面部１１が規制部材１４の長孔１９の長手方向に沿うように、しかもこれらの平面部１１が長孔１９の縁部に係合するように凸部９を配置してあるので、凸部９と規制部材１４の長孔１９との間に生じるがたつきを少なくすることができ、より確実に、操作体６の回転操作を規制することができる。
【００３８】
また、規制部材１４が金属板から成るので、優れた耐久性を確保でき、長期間にわたって確実に、操作体６の回転操作を規制することができる。
【００３９】
また、第２のスライダ１３と規制部材１４との間に第１のスライダ１２を配置させるように、第２のスライダ１３、第１のスライダ１２、及び規制部材１４を積層させてある。すなわち、第１のスライダ１２が、第２のスライダ１３と規制部材１４との間に形成される空間内に配置されるので、全体構造の薄型化を実現できる。
【００４０】
また、中間部材２に形成した第１の壁部２５、第２の壁部２６を介して、第１のスライダ１２、第２のスライダ１３及び規制部材１４をスムーズに案内することができ、これらの第１のスライダ１２、第２のスライダ１３、及び規制部材１４の優れたスライド操作性を確保できる。また、第２のスライダ１３と規制部材１４とを同じ第２の壁部２６によって案内させるようにしてあるので、これらの第２のスライダ１３及び規制部材１４を案内する構成が簡単であり、小型化を図ることができる。
【００４１】
さらに、１枚の絶縁基板２０に、第１の検出手段に含まれる抵抗体パターン２７と集電体パターン２９から成る第１の導電パターンと、第２の検出手段に含まれる抵抗体パターン２８と集電体パターン３０から成る第２の導電パターンの双方を形成してあるので、これらの第１，第２の導電パターンを形成するための構成が簡単であり、これによって製作費を安くすることができる。
【００４２】
［本発明の他の実施形態］
なお、上記実施形態では、操作体６の係合部１０を円柱形状に形成してあるが、このように円柱形状に形成することに代えて円筒形状に形成してもよい。また、操作体６の凸部９を横断面小判形状に形成してあるが、このように小判形状に形成することに代えて、横断面四角形状、あるいは六角形状等の側壁に互いに平行な一対の平面部を有する横断面多角形形状に形成してもよい。
【００４３】
また上記では、第２のスライダ１３と第１のスライダ１２と規制部材１４との積層に際し、第１のスライダ１２の上側に規制部材１４を配置し、第１のスライダ１２の下側に第２のスライダ１３を配置してあるが、このような構成に代えて第１のスライダ１２の上側に第２のスライダ１３を配置し、第１のスライダ１２の下側に規制部材１４を配置した構成にしてもよく、その他の積層順序であってもよい。
【００４４】
また上記では、操作体６の操作力付与部８と係合部１０とを個別に形成してあるのが、係合部１０に操作力付与部８を兼ねさせ、その係合部１０をカバー部材１の開口４から露出させる構成にしてもよい。この場合には、操作体６の円形状部６ａの上側に、第１のスライダ１２や第２のスライダ１３が配置されるものとなる。
【００４５】
また上記では、第１のスライダ１２に摺動子１６を取付け、第２のスライダ１３に摺動子１８を取付けると共に、これらの摺動子１６，１８が摺動する第１の導電パターン、第２の導電パターンが形成される絶縁基板２０を備えた構成にしてあるが、第１のスライダ１２側に第１の導電パターンを形成し、第２のスライダ１３側に第２の導電パターンを形成するとともに、これらの第１の導電パターン、第２の導電パターンに摺接する摺動子を、それぞれ第１のスライダ１２、第２のスライダ１３に対向するように筐体内に固定した構成にしてもよい。
【００４６】
また上記では、第１の導電パターン、第２の導電パターンのそれぞれは、抵抗体パターン２７，２８を備えた可変抵抗器タイプに形成してあるが、本発明は、このように第１，第２の導電パターンを可変抵抗器タイプに形成することには限られず、櫛歯状のコードパターンとしたエンコーダタイプに形成してもよい。
【００４７】
また上記では、操作体６の操作力付与部８に与えられていた力が解放された際に、操作体６を中立位置に復帰させる付勢部材７を備えた構成にしてあるが、本発明は、このような付勢部材を備えない構成にしてもよい。
【００４８】
さらに上記では、第２のスライダ１３と規制部材１４との間の空間に第１のスライダ１２を配置した構成にしてあるが、薄型化を考慮しなくて済む場合などにあっては、第１のスライダ１２を、第２のスライダ１３と規制部材１４との間に形成される空間内に配置せず、第２のスライダ１３と規制部材１４とを重ねた状態において、第２のスライダ１３の外側に、あるいは規制部材１４の外側に第１のスライダ１２を配置する構成にしてもよい。
【図面の簡単な説明】
【００４９】
【図１】本発明に係る多方向入力装置の一実施形態の分解斜視図である。
【図２】本実施形態の平面図である。
【図３】本実施形態の斜視図である。
【図４】図２のＡ−Ａ断面図である。
【図５】図２のＢ−Ｂ断面図である。
【図６】底部材及び絶縁基板を除いて背面側から見た状態を示す斜視図である。
【図７】図６に示す状態からさらに、第１のスライダと第２のスライダを除いて背面側から見た斜視図である。
【図８】本実施形態に備えられる絶縁基板を表面側から見た状態を示す斜視図である。
【符号の説明】
【００５０】
１    カバー部材
２    中間部材
３    底部材
４    開口
５    開口
６    操作体
７    付勢部材
８    操作力付与部
９    凸部
１０  係合部
１１  平面部
１２  第１のスライダ
１３  第２のスライダ
１４  規制部材
１５  長孔
１６  摺動子（第１の検出手段）
１７  長孔
１８  摺動子（第２の検出手段）
１９  長孔
２０  絶縁基板
２１  外部接続部
２２  外部接続部
２３  外部接続部
２４  外部接続部
２５  第１の壁部
２６  第２の壁部
２７  抵抗体パターン（第１の導電パターン）〔第１の検出手段〕
２８  抵抗体パターン（第２の導電パターン）〔第２の検出手段〕
２９  集電体パターン（第１の導電パターン）〔第１の検出手段〕
３０  集電体パターン（第２の導電パターン）〔第２の検出手段〕
３１  スルーホール電極
３２  スルーホール電極
３３  スルーホール電極
３４  スルーホール電極
【図１】
2006107336.tif 000003
【図２】
2006107336.tif 000004
【図３】
2006107336.tif 000005
【図４】
2006107336.tif 000006
【図５】
2006107336.tif 000007
【図６】
2006107336.tif 000008
【図７】
2006107336.tif 000009
【図８】
2006107336.tif 000010